(57)【特許請求の範囲】
【請求項１】
柱、横架材など第１と第２の木材間に取付け、これらを結合する金物であって、溝形の補強ビードを備え、先に取付けてある結合金物の木材表面より突出する部分を補強ビードに呑み込ませて固定することを特徴とする補強金物。
【請求項２】
柱、横架材など第１と第２の木材が交差する入り隅個所に、第１、第２の木材の取付け面に跨って固定する補強金物であって、木材が交差する角度にあわせた第１翼部と第２翼部を一体に有し、第１翼部から第２翼部に外部へ膨らむ溝形のビードを連続して形成してあり、ビードの断面積を先に取付けてある結合金物の前記取付け面から突出している部分を呑み込む大きさとしてあることを特徴とした補強金物。
【発明の詳細な説明】
【０００１】
【発明の属する技術分野】
この発明は、木造住宅を耐震補強するための補強金物に関する。
【０００２】
【従来の技術】
木造住宅の耐震補強は種々開発されている補強金物を利用するのが有効である。しかし、この種の金物は建物の構造上、柱や横架材（梁、土台など）が交差する隅部に集中することが多く、取付けようとすると相互に干渉していずれか一方を利用できないことがある。また、既存の木造住宅（既存住宅という）を耐震補強しようとすると、既に補強金物が使用してあって、新たに補強金物を付加することができない場合がある。また、既存住宅の耐震補強工事は、居住しながらの工事となることが多く、外壁を壊したり、軸組みを解体するなどの大きな工事は適当でない。
【０００３】
【発明が解決しようとする課題】
この発明は、同様な目的で使用される他の補強金物と干渉することが少なく、しかも頑丈な補強金物及びこれを用いた木材（柱、横架材など）の補強構造を提供する。
【０００４】
【課題を解決するための手段】
溝形の補強ビードを備えた補強金物とし、補強ビードの溝部分に、既に取付けてある補強金物の木材表面から突出している部分を呑み込ませる構造とする。なお、補強金物は結合金物の一つであるから、柱、横架材など第１と第２の木材間に取付け、これらを結合する構造を有する。
本願の補強金物は、柱、横架材など第１、第２の木材の取付け面に跨って固定する部分と既に取付けてある補強金物の木材表面から突出している部分を呑み込ませる溝形の補強ビードを備えることが要件で、全体の形態は使用態様に応じて適宜に構成することができる。
【０００５】
例えば、２つの木材が交差する角度にあわせた第１翼部と第２翼部を一体に有し、第１翼部から第２翼部に外部へ膨らむ溝形のビードを連続して形成する。第１翼部と第２翼部は、補強金物を木材へ固定する部分となるものであるが、入り隅個所に適用できるよう固定面が直交する形態であっても、梁どうしの結合などのように直線に接合される個所に用いるために、第１翼部と第２翼部を直線状に配置した形態、あるいは梁と柱の側面どうしの結合のように同じ面内で交差する個所に適応させた第１翼部と第２翼部が鈎形や円弧形につながる形態としても良い。これらは実質的には溝形をして連続するビードの形態であり、このビードを形成してある他の部分（固定部など）の形態は連続していても、断続していてもよい。しかし、補強上の強度からすると連続していることが好ましい。
このように、第１翼部と第２翼部は、同じ面に属している場合と交差する異なる面に属していることがあるが、第１の木材に固定される側を第１翼部、第２の木材に固定される側を第２翼部とする。
素材としては多くが４．５ｍｍ程度の鋼板であるが、ステンレスのこともある。
【０００６】
【発明の実施の形態】
図１は、第１の実施形態である補強金物１を利用した木材の結合構造を示し、柱２を挟んで梁３、４が交差した入り隅個所に、梁３と梁４の内面に固定して取り付けてある。符号５は羽子板金物であり、梁４に羽子板６をボルト・ナット７で固定し、梁３側からボルト８で引寄せることにより、梁４を柱２に緊結している。ボルト８の羽子板６側は羽子板先端部の腰高部９に溶接してある。羽子板６及び腰高部９は梁４の木材表面から突出した部分である。符号１０は他の側に取付けた補強金物であり、補強金物１と同じ構造のものである。
【０００７】
補強金物１（図２）は、第１翼部１１と第２翼部１２を直交させて備え、これらの面に沿って外側へ突出させた水平な溝形のビード１３を連続させて有している。したがって、ビード１３は直角に屈曲した形態で両端が開口する。ビード１３の溝形は、断面が木材側に開口するほぼ矩形であり、図１に示すように、羽子板金物５の羽子板６とボルト９を呑み込める大きさである。
【０００８】
第１翼部１１と第２翼部１２はビード１３以外の部分を平らな固定部１４ａ，１４ｂとしており、コーチねじ等を通すために、多数の固定具用孔１５を備えている。この実施形態において、固定部１４ａ，１４ｂはビード１３を挟んで上下に分けてあり、下方の固定部１４ｂは梁３，４の上下方向寸法（幅）にあわせて長くしてある。
この補強金物１は、厚さ３．２ｍｍの鋼板をプレス加工により成形したもので、次の寸法である。第１翼部１１、第２翼変１２ともに高さ＝２７０ｍｍ、幅１００ｍｍ、上方の固定部の幅（上下方向寸法）＝１６ｍｍ、ビード１３の張り出し量＝４０ｍｍ、溝の内径（上下方向寸法）＝６４ｍｍ。
これらの寸法は、例えば大、中、小を準備し、前記の高さでは２１０〜３６０ｍｍである。
【０００９】
補強金物１は、羽子板金物５を用いて梁４と柱２を緊結した後に、木材（梁４）の表面から突出している羽子板６と腰高部９及びボルト８の露出部分を第１翼部１１のビード１３の溝形中に取り込み、上下の固定部１４ａ，１４ｂをコーチねじで梁４に固定する。あるいは、既存住宅におけるように、既に羽子板金物５によって梁４と柱２が結合されている個所に、同様にして取付けられる。
このように、補強金物１は、他の補強金物が先に取付けられ、その個所の木材表面（取付け面）に他の補強金物の突出する部分があっても邪魔されることなく取付けることができる。この結果、新築、既存に関わらず、羽子板金物５だけでは不安が残る個所の耐震補強を強化することができる。また、ビード１３は溝形で補強金物１の断面係数を高くするので、補強金物１が変形しにくく頑丈なものとなる。
他の側の補強金物１０も補強金物１と同様にして取付け、固定する。すなわち、補強金物１は、先に取付けてある補強金物が存在しない個所ヘ単独で使用して耐震補強の効果を上げることもできる。
【００１０】
図４は第２の実施形態を示し、ビード１３の上下に分けた固定部１４ａ，１４ｂを同じ幅（上下方向寸法）としたことを特徴とする。比較的幅の狭い梁どうしや土台どうしをかね折り金物１６を用いて結合してある個所などに使用する。
ビード１３の溝形が深い場合には、かね折り金物を梁や柱に固定しているボルト・ナットの頭部やナット１７を呑み込ませることもできる。
【００１１】
図５，６は、第３の実施形態を示し、第１、第２の実施形態に対して、ビード１３を第１翼部１１の先端縁から第２翼部の先端縁へ直接につなぎ、平面視で直角三角形の斜辺を形成するように構成してあることを特徴とする。使用個所や取付け手順は前記途同様であるが、ビード１３が斜辺に相当するものとなるために第１翼部１１と第２翼部１２間の角度を変更するような変形に対する抵抗力が高い。また、ビード１３の内部空間が大きくなるので、先に取付けてある補強金物に木材表面からの突出量が大きなものがあっても、これを呑み込んで支障なく固定することができる。
【００１２】
図７は、第４の実施形態としての補強金物１であり、たんざく金物１８や平金物に適応させたものである。この補強金物１は、直線形であり第１翼部１１と第２翼部１２が同じ面に属している。ビード１３は比較的浅い溝形で第１、第２の翼部１１，１２の中央を長手方向に貫通し、両端が開口している。固定部１４ａ，１４ｂはビード１３の両側に位置している。この補強金物１は、図のように、梁３，４どうし中継したたんざく金物１８の厚み（取付け面から突出している部分である）をビード１３の溝形に呑み込ませて梁３，４間に固定する。
既存住宅の耐震補強においても、既に取付けてあるたんざく金物１８や平金物に邪魔されることなく取付けることができ、ビード１３の存在によって、曲げに対する強度が高い。この結果、たんざく金物１８や平金物だけでは不足する耐震強度を補強することができる。
【００１３】
図７の補強金物１は、溝形のビード１３をもう少し深くして、前記のように、既に取付てあるたんざく金物１８や平金物を梁３，４に固定しているボルト・ナットの頭部やナット１７をビード１３内に取り込むような長さであってもよい。
また、固定部１４ａ，１４ｂをコーチねじによって梁３，４に固定するのであるが、強度が不足するときは全体の長さを大きくして使用するコーチねじの本数を増やす。あるいは、破線で示すように、ビード１３をたんざく金物１８の全体を呑み込む大きさ（長さ）で両端に開口がない袋状とし、両端部にも固定部を配置する構成とする。
【００１４】
図８は、第５の実施形態としての補強金物１であって、前記第４の実施形態の場合と同様に第１翼部１１と第２翼部１２は同じ面に属している。また、ビード１３は比較的浅い溝形で第１、第２の翼部１１，１２の中央を長手方向に貫通しているが、第１翼部１１と第２翼部１２の長手方向が直交しており、ビード１３は同じ面内で直角に曲がって連続し、両端が開口した構造となっている。固定部１４ａ，１４ｂはビード１３の両側に位置している。この補強金物１は、図のように、先に取付けてあるかど金物１９の肉厚を直角に曲がったビード１３に呑み込ませて固定する。かど金物１９に邪魔されることなく取付けることができ、また、かど金物１９に比べて幅広であると共にビード１３を有するので、変形に対して頑丈である。
【００１５】
以上、いくつかの実施形態を説明したが、ビード１３の断面形状は半円形や三角形など他の形状でもよい。全体の大きさは適宜に定めることができる。
また、先に補強金物を取付けてある個所へ重ねて使用する場合ばかりでなく、独立して使用することも多い。
【００１６】
【発明の効果】
新築、既存の住宅に関わらず、先に取付けてある補強金物に邪魔されることなく取付けることができる。
ビードを備えることにより、建築金物として頑丈である。
既存住宅の耐震補強を簡便に行える。
プレスだけで製造でき安価に提供できる。
【図面の簡単な説明】
【図１】使用状態で示す斜視図
【図２】補強金物の斜視図（第１の実施形態）
【図３】補強構造を示す平面図
【図４】補強金物の斜視図（第２の実施形態）
【図５】補強金物の側方から見た斜視図（第３の実施形態）
【図６】補強金物の正面側から見た斜視図（第３の実施形態）
【図７】使用状態で示す斜視図（第４の実施形態）
【図８】使用状態で示す斜視図（第５の実施形態）
【符号の説明】
１  補強金物
２  柱
３  梁
４  梁
５  羽子板金物
６  羽子板
７  ボルト・ナット
８  ボルト
９  腰高部
１０  補強金物（他の個所に使用）
１１  第１翼部
１２  第２翼部
１３  ビード
１４ａ，１４ｂ  固定部
１５  固定具用孔
１６  かね折り金物
１７  頭部またはナット
１８  たんざく金物
１９  かど金物
【図１】
0003967623.tif 000002
【図２】
0003967623.tif 000003
【図３】
0003967623.tif 000004
【図４】
0003967623.tif 000005
【図５】
0003967623.tif 000006
【図６】
0003967623.tif 000007
【図７】
0003967623.tif 000008
【図８】
0003967623.tif 000009